(57)【特許請求の範囲】
【請求項１】
周壁によって囲まれることにより形成され、洗い場排水が上部の受入口から流入する受入室と、
該受入口に配置されたヘアキャッチャーと、
該周壁に設けられた、浴槽排水を該受入室内に流入させる導入口と、
該導入口に連通した浴槽排水流入流路と、
該周壁の下部に設けられた受入室排出口と、
該受入室排出口に連通した排水トラップ流出口と
を備えた浴槽及び洗い場用の排水トラップにおいて、
前記浴槽排水流入流路からの浴槽排水を第１の分岐流路と第２の分岐流路とに分岐させる分岐部を備えており、
該第１の分岐流路が前記導入口に連通しており、
該第２の分岐流路は前記受入室を迂回するバイパス流路を介して前記排水トラップ流出口に連通しており、
該第１の分岐流路及び前記浴槽排水流入流路は、該受入室に対し略接線方向に延在しており、
該バイパス流路は、前記受入室の前記周壁の一部の外側を通って延在していることを特徴とする排水トラップ。
【請求項２】
請求項１において、前記第１の分岐流路は、前記第２の分岐流路と分岐した後、上方に延在して前記導入口に連通していることを特徴とする排水トラップ。
【請求項３】
請求項１又は２において、前記第２の分岐流路は、前記第１の分岐流路と分岐した後、該第１の分岐流路の下側を延在していることを特徴とする排水トラップ。
【請求項４】
請求項３において、前記分岐部の最も前記浴槽排水流入流路側の先端は、該浴槽排水流入流路の底面レベル又はそれよりも下位に位置していることを特徴とする排水トラップ。
【請求項５】
請求項１ないし４のいずれか１項において、前記導入口は、該受入室内に浴槽排水を接線方向に流入させ、該受入室内に旋回流を形成するように設けられていることを特徴とする排水トラップ。
【請求項６】
請求項１ないし５のいずれか１項において、前記分岐部は、前記受入室から着脱可能となっていることを特徴とする排水トラップ。
【請求項７】
請求項１ないし６のいずれか１項において、前記バイパス流路の下流端が次第に開口断面積が小さくなるか、又は前記排水トラップ流出口内に突出して該排水トラップ流出口を指向していることを特徴とする排水トラップ。
【発明の詳細な説明】
【技術分野】
【０００１】
本発明は、浴槽及び洗い場用の排水トラップに係り、特に浴槽排水の一部を受入室内に接線方向に流入させて旋回させる排水トラップに関する。
【背景技術】
【０００２】
洗い場排水を受け入れる受入室を有する排水トラップにおいて、該浴槽排水の一部を受入室内に接線方向に流入させて該受入室内に旋回流を形成するよう構成した排水トラップが特許文献１〜３に記載されている。このトラップの洗い場排水受入口には、上方が開放したカゴ（篭）状のヘアキャッチャーが着脱自在に装着されている。
【０００３】
浴槽排水がトラップ内に流入し、トラップ内に旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになると共に、ヘアキャッチャーの内外面が旋回流に浸漬されて浄化され、ヌメリ等が除去されるという作用効果が奏される。
【０００４】
特許文献１，２には、受入室を迂回するバイパス流路を設けることが記載されている。受入室の下側に延設し、このバイパス流路から浴槽排水の一部を導水部材で受入室上部に導入することが記載されている。この導水部材は、受入室内を鉛直上方に立ち上がるように設けられている。
【０００５】
特許文献３では、浴槽排水が封水筒の外周面に突き当り、一部の浴槽排水は封水筒の横を通り抜け、残部の浴槽排水は封水筒外周に沿って上り勾配となっている旋回ガイド室を介して封水筒内に流入して旋回する。
【先行技術文献】
【特許文献】
【０００６】
【特許文献１】特開２０１１−８９３６６号公報
【特許文献２】特開２０１１−２２６０７６号公報
【特許文献３】特開２００９−２０３７８４号公報
【発明の概要】
【発明が解決しようとする課題】
【０００７】
上記特許文献１，２の排水トラップにあっては、導水部材がバイパス流路から鉛直上方に立ち上がっているため、導水部材に流入する浴槽排水の水勢が弱くなり、受入室内の旋回流速が小さくなるおそれがある。
【０００８】
特許文献３では、特許文献３の図２の通り、浴槽排水が封水筒中心に向って流れ、封水筒外面に正面衝突状に突き当るため、浴槽排水全体の流れが弱くなり、浴槽からの排水時間が長くなる。また、浴槽排水が封水筒外周に当ってから旋回ガイド室に流入するため、この旋回ガイド室に流入する浴槽排水の水勢が弱くなり、封水筒内の旋回流速が小さくなる。
【０００９】
本発明は、受入室内の上部に浴槽排水の一部が高流速にて流入し、受入室内における旋回流速が速くなると共に、バイパス流路に流れる浴槽排水流速も大きなものとなる排水トラップを提供することを目的とする。
【課題を解決するための手段】
【００１０】
本発明の排水トラップは、周壁によって囲まれることにより形成され、洗い場排水が上部の受入口から流入する受入室と、該受入口に配置されたヘアキャッチャーと、該周壁に設けられた、浴槽排水を該受入室内に流入させる導入口と、該導入口に連通した浴槽排水流入流路と、該周壁の下部に設けられた受入室排出口と、該受入室排出口に連通した排水トラップ流出口とを備えた浴槽及び洗い場用の排水トラップにおいて、前記浴槽排水流入流路からの浴槽排水を第１の分岐流路と第２の分岐流路とに分岐させる分岐部を備えており、該第１の分岐流路が前記導入口に連通しており、該第２の分岐流路は前記受入室を迂回するバイパス流路を介して前記排水トラップ流出口に連通しており、該第１の分岐流路及び前記浴槽排水流入流路は、該受入室に対し略接線方向に延在しており、該バイパス流路は、前記受入室の前記周壁の一部の外側を通って延在していることを特徴とするものである。
【００１１】
前記第１の分岐流路は、前記第２の分岐流路と分岐した後、上方に延在して前記導入口に連通していることが好ましい。
【００１２】
前記第２の分岐流路は、前記第１の分岐流路と分岐した後、該第１の分岐流路の下側を延在していることが好ましい。
【００１３】
前記分岐部の最も前記浴槽排水流入流路側の先端は、該浴槽排水流入流路の底面レベル又はそれよりも下位に位置してもよい。
【００１４】
前記導入口は、該受入室内に浴槽排水を接線方向に流入させ、該受入室内に旋回流を形成するように設けられていることが好ましい。
【００１５】
前記分岐部は、前記受入室から着脱可能となっていることが好ましい。
【００１６】
本発明では、前記バイパス流路の下流端が次第に開口断面積が小さくなるか、又は前記排水トラップ流出口内に突出して該排水トラップ流出口を指向するよう構成してもよい。
【発明の効果】
【００１７】
本発明の排水トラップにあっては、浴槽排水流入流路を介して受入室に向って流れてきた浴槽排水を分岐部によって第１の分岐流路と第２の分岐流路とに分流し、第１の分岐流路に分流した浴槽排水を受入室に流入させる。この第１の分岐流路及び浴槽排水流入流路は受入室に対し略接線方向に延在しているので、浴槽排水が高流速にて受入室に流入する。これにより、受入室内に高流速の旋回流が形成されるようになる。
【００１８】
第１の分岐流路を、第２の分岐流路から分岐した後、上方へ延在させることにより、導入口が受入室の周壁上部に配置され、受入室内の上部のヘアキャッチャーに近い位置に強力な旋回流が形成されるので、ヘアキャッチャーに対してより効果的な旋回流となる。
【００１９】
第２の分岐流路を、第１の分岐流路の下側に配置することにより、第１の分岐流路を比較的高位に配置することができ、浴槽排水流入流路も高位に配置することができる。この場合、該分岐部の最も浴槽排水流入流路側の先端を該流入流路の下面以下のレベルに設けることにより、該流入流路から第１の分岐流路に分流する水量を多くすることができる。
【００２０】
分岐部を受入室側から着脱できる構成とすることにより、分岐部やバイパス流路等のメンテナンスを行うことが可能となる。
【００２１】
バイパス流路の下端側が次第に開口断面積が小さくなるか、又は前記排水トラップ流出口内に突出し、該排水トラップ流出口の末端を指向している構成とすることにより、排水トラップ流出口からの排水流速が大きくなる。また、バイパス流路側への逆流も防止される。
【図面の簡単な説明】
【００２２】
【図１】実施の形態に係る排水トラップの平面図である。
【図２】図１の排水トラップの長手方向の側面図である。
【図３】図２のIII−III線断面図である。
【図４】図２のIV−IV線断面図である。
【図５】図１の排水トラップの断面斜視図である。
【図６】図４と反対方向から見た排水トラップの断面斜視図である。
【図７】実施の形態に係る排水トラップの断面分解斜視図である。
【図８】プレートを装着した状態における図７のVIII−VIII線断面図である。
【図９】別の実施の形態に係る排水トラップの断面斜視図である。
【図１０】別の実施の形態に係る排水トラップの断面斜視図である。
【図１１】異なる実施の形態に係る排水トラップの断面図である。
【図１２】異なる実施の形態に係る排水トラップの断面図である。
【発明を実施するための形態】
【００２３】
以下に、図面を参照して本発明の実施の形態について説明する。
【００２４】
＜第１の実施の形態＞
図１〜８は第１の実施の形態を示すものであり、図１，２に示すように、排水トラップ１０の長手方向の略中央の上面には、洗い場からの排水が流入する洗い場排水受入口１１が設けられている。この受入口１１にヘアキャッチャー３７が着脱可能に装着されている。排水トラップ１０の長手方向一端側の上面には、浴槽からの排水が流入する浴槽排水流入口１２が設けられ、その近傍には浴槽排水栓装置を操作するためのレリースワイヤ挿入口１３が設けられている。浴槽排水及び浴槽パン排水は、浴槽排水流入流路としての直管状の浴槽排水流入管１４を介して本体流入口１６（図３，５等）に流入する。
【００２５】
排水トラップ１０の他端側には、封水室３０（図４，６等）からの水が流出する排水トラップ流出口３１が設けられている。この排水トラップ流出口３１に排水管が接続される。
【００２６】
図３〜８の通り、この排水トラップ１０内には、洗い場排水受入口１１の下側に受入室２０が設けられている。この受入室２０は、円筒状の周壁２１によって囲まれている。周壁２１の一部は上下方向に着脱可能なプレート２１Ｐにて構成されている。
【００２７】
図７，８に明示の通り、プレート２１Ｐは、円筒状周壁２１の一部を上下方向に切り取った形状の円弧状湾曲板よりなり、その両側辺には取付用凸条２１ｂが上下方向に延設されている。周壁２１には、この凸条２１ｂが係合した凹条２１ａが設けられている。プレート２１Ｐは、周壁２１の上方から凸条２１ｂを凹条２１ａに嵌合させるようにして周壁２１に装着される。
【００２８】
プレート２１Ｐの上部に、周方向に延在した導入口２２が設けられている。この導入口２２の下縁に沿って水平に延在する板状の摘み部２３が設けられている。摘み部２３のプレート２１Ｐからの起立高さ（受入室２０の中心に向う高さ）は導入口２２の水平方向両端側において小さく、それらの中間付近において最も大きくなっているが、これに限定されない。
【００２９】
図５に明示の通り、この実施の形態では、受入室２０を迂回して本体流入口１６と排水トラップ流出口３１とを連通するバイパス流路４０が設けられている。このバイパス流路４０は、周壁２１の一部の外側を通って延在している。このバイパス流路４０の流入部には、本体流入口１６に対峙して分岐部４２が設置されており、本体流入口１６を通過してきた浴槽排水を上下の２つの分岐流路４０ａ，４０ｂに分岐させている。上側の第１の分岐流路４０ａは徐々に上昇して導入口２２に達している。
【００３０】
下側の第２の分岐流路４０ｂは、分岐部４２の下側を通って延在し、バイパス上昇部４０ｃ及び合流口４０ｄを介して排水トラップ流出口３１の近傍付近に合流している。なお、図４の通り、合流口４０ｄからの水の流出方向は、封水室３０と流出口３１とを結ぶ直線に対し流出口３１に向うように斜め方向となっており、合流口４０ｄからの流出水が流出口４０ｄに向って流れ易くなっている。
【００３１】
分岐部４２は、プレート２１Ｐを取り外して受入室２０内から着脱可能となっている。プレート２１Ｐ及び分岐部４２を取り外すと、バイパス流路４０や流入口１６付近のメンテナンスを行うことができる。
【００３２】
図１の通り、この排水トラップ１０を平面視した状態において、第１の分岐流路４０ａと直管状の浴槽排水流入管１４とは受入室２０の周壁２１に対し略接線方向に延在している。なお、浴槽排水流入管１４の管軸心線の延長線が周壁２１の外周面と接しているか、又は該延長線と周壁２１の外周面との距離が４０ｍｍ以下となっていることが好ましい。
【００３３】
図６，７の通り、周壁２１の排水トラップ流出口３１側にあっては、周壁２１の下端と排水トラップ１０の底面との間に受入室排出口２８が設けられている。周壁２１と排水トラップ流出口３１との間に封水室３０が設けられている。プレート２１Ｐの大きさはこの受入室排出口２８よりも大きいものとなっており、誤ってプレート２１Ｐを受入室２０内に落としてもプレート２１Ｐが封水室３０に流出しないように構成されている。
【００３４】
封水室３０の排水トラップ流出口３１側に堤状部３０ａが設けられている。堤状部３０の頂面のレベルは封水室３０の底面及び排水トラップ流出口３１の底面よりも上位となっており、封水室３０内には堤状部３０ａの頂面レベルにまで封水が溜る。周壁２１の受入室排出口２８はこの封水中に没するように設けられている。
【００３５】
前記合流口４０ｄは、この堤状部３０ａよりも下流側（流出口３１側）に開口している。
【００３６】
なお、周壁２１には封水室３０内を点検するための開口２６が設けられている。この開口２６は、通常はキャップ（図６，７では図示略）にて閉鎖されている。
【００３７】
洗い場排水受入口１１の内周面には雌ネジ（図５〜７参照）が設けられ、トラップ取付フランジ３４（図１，２）が螺着されている。本体側の上面部３５（図２）と該フランジ３４との間で、洗い場排水升の底部のトラップ取付用開口の縁部をパッキンを介して挟持することにより、排水トラップ１０が該排水升に固着される。
【００３８】
このトラップ取付フランジ３４の内周面の凸部（図示略）に係止させてヘアキャッチャー３７が該トラップ取付フランジ３４に内挿状に着脱可能に装着されている。
【００３９】
このように構成された排水トラップ１０においては、洗い場からの排水は、ヘアキャッチャー３７を透過して受入室２０内に流入する。浴槽からの排水は、浴槽排水流入口１２、浴槽排水流入管１４、本体流入口１６、分岐流路４０ａ及び導入口２２を通って受入室２０に流入し、受入室２０内を旋回した後、受入室排出口２８、封水室３０及び排水トラップ流出口３１から排水管に流出する。洗い場排水や浴槽排水の流出が停止すると、受入室２０及び封水室３０内には、封水が残り、この封水に受入室排出口２８及びバイパス流路４０が没するので、排水管６の臭気が浴室内及び浴槽に逆流することが防止される。
【００４０】
この実施の形態では、浴槽からの排水は、直管状の浴槽排水流入管１４及び第１の分岐流路４０ａを介して周壁２１に対し略接線方向に流れて導入口２２から受入室２０内へ接線方向に流入するため、受入室２０内に旋回流が形成されるようになる。
【００４１】
この実施の形態では、図１の通り、浴槽排水流入管１４が受入室２０の略接線方向に直線状に延在しているので、浴槽排水が、その水勢をそがれることなく上側の分岐流路４０ａを経て導入口２２から受入室２０内に流入し、受入室２０内の旋回流が強力なものとなる。
【００４２】
この浴槽排水の流入により受入室２０内の水位が上昇し、ヘアキャッチャー３７が旋回流に浸漬され、ヘアキャッチャー３７内の毛髪などのゴミがヘアキャッチャー３７の中心に集められる。これにより、ゴミを摘んで捨てることができるようになる。また、ヘアキャッチャー３７の内外面が旋回流に浸漬されて浄化され、ヌメリ等が除去される。
【００４３】
この実施の形態では、上記の通り、受入室２０内への浴槽排水の流入流速が大きいことに加え、導入口２２が受入室２０の上部に設けられていると共に、板状の摘み部２３が導入口２２の下縁に沿って周方向に延設されている。そのため、導入口２２から受入室２０内に流入した浴槽排水は、摘み部２３によって旋回方向に案内される。このため、受入室２０内の上部、すなわち、ヘアキャッチャー３７付近に強力な旋回流が形成される。これにより、ヘアキャッチャー３７内のゴミが効率よく中心付近に集められると共に、ヘアキャッチャー３７が強力な旋回流によって洗浄される。なお、浴槽排水の水位が低いときでも受入室２０内の上部における旋回流が十分に強いものとなる。
【００４４】
本体流入口１６から下側の分岐流路４０ｂに分岐した浴槽排水は、バイパス流路４０を経て、排水トラップ流出口３１に流出するようになる。図１の通りこの排水トラップ１０の平面視において、該バイパス流路４０も、浴槽排水流入管１４と略一直線状に延在しているので、分岐流路４０ｂからバイパス流路４０に流入した浴槽排水も高流速を保ったままバイパス流路４０を通り抜ける。このため、浴槽の水が短時間で排出されるようになる。
【００４５】
バイパス流路４０や流入口１６付近等の清掃、点検等を行うときには、ヘアキャッチャー３７を外し、指を受入口１１から受入室２０内に差し込んでプレート２１Ｐの摘み部２３を摘んで該プレート２１Ｐを上方に引き上げて取り外し、さらに分岐部４２を取り外す。なお、摘み部２３を設けてあるので、プレート２１Ｐを容易に取り外すことができる。取り外したプレート２１Ｐを再装着するときにも、摘み部２３を摘んでプレート２１Ｐの凸条２１ｂを周壁２１の凹条２１ａに容易に係合させ、再装着することができる。
【００４６】
＜第２の実施の形態＞
上記実施の形態では分岐部４２の先端（上流端）は、本体流入口１６に臨み、また、該本体流入口１６の上下方向の中間付近に位置しているが、図９の分岐部４２Ａのように、先端４２ｔを流入口１６よりも若干離隔させ、また流入口１６の下縁レベル又はそれ以下にまで低くしてもよい。このようにすると、浴槽排水流入管１４から流入する浴槽排水のうち上側の分岐流路４０ａに流入する流量が多くなり、受入室２０内への流入量が多くなる。
【００４７】
図９の実施の形態のその他の構成は図１〜８の実施の形態と同じであり、同一符号は同一部分を示している。
【００４８】
［第３の実施の形態］
本発明では、分岐部４２をプレート２１Ｐと一体化させてもよい。図１０はかかる排水トラップの実施の形態を示している。図１０では、プレート２１Ｐの外周面側に分岐部４２が一体的に設けられている。このように構成した場合、プレート２１Ｐを着脱した際に併せて分岐部４２も着脱されるので、バイパス流路等のメンテナンス作業が容易となる。なお、図１０では、摘み部２３に小孔状の開口２３ａを設けているので、プレート２１Ｐを着脱するべく指先を摘み部２３に掛けたときに指の滑りが防止される。
【００４９】
［第４，５の実施の形態］
本発明では、図１１のように、バイパス流路４０の合流口４０ｄ近傍部分を下流側に向って徐々に開口断面積が小さくなる形状としてもよい。このようにすると、排水トラップ流出口３１へバイパス流路４０から流出する浴槽排水の流速が大きくなり、浴槽排水を短時間でスムーズに排出することができる。また、排水トラップ流出口３１側からバイパス流路４０への逆流防止効果も奏される。図１２のように合流口４０ｄを排水トラップ流出口３１内に突出させ、かつ該流出口３１を指向させることによっても、同様の効果を得ることができる。なお、図１２によるとバイパス流路４０への逆流防止効果がさらに高いものとなる。
【００５０】
上記実施の形態はいずれも本発明の一例であり、本発明は図示以外の態様とされてもよい。
【符号の説明】
【００５１】
１０  排水トラップ
１１  洗い場排水受入口
１２  浴槽排水流入口
１３  浴槽パン排水流入口
１４  浴槽排水流入管（浴槽排水流入流路）
１６  本体流入口
２０  受入室
２１  周壁
２１Ｐ  プレート
２２  導入口
２３  摘み部
２３ａ  開口
２３ｂ  垂下壁
２３ｃ  凹部
２８  受入室排出口
３０  封水室
３１  排水トラップ流出口
３４  フランジ
３７  ヘアキャッチャー
４０  バイパス流路
４０ａ，４０ｂ  分岐流路
４２，４２Ａ  分岐用部材
【図１】
0005929278.tif 000002
【図２】
0005929278.tif 000003
【図３】
0005929278.tif 000004
【図４】
0005929278.tif 000005
【図５】
0005929278.tif 000006
【図６】
0005929278.tif 000007
【図７】
0005929278.tif 000008
【図８】
0005929278.tif 000009
【図９】
0005929278.tif 000010
【図１０】
0005929278.tif 000011
【図１１】
0005929278.tif 000012
【図１２】
0005929278.tif 000013